(57)【要約】      （修正有）【課題】あまり複雑でない変調器の出力および元の入力に基づいて温度安定化ユニットの制御を可能にする温度安定化共振型電気光学変調器を提供する。【解決手段】温度安定化共振型電気光学変調器１は、第１リング状導波路３とそれに近接した第２長手導波路４を備えた共振型電気光学変調器ユニット２、第１電圧および第２電圧を印加する電圧ユニット５、光センサ６、温度安定化ユニット７、および温度制御ユニット８を備える。温度制御ユニットは、印加された第１電圧および第２電圧に対応して光センサによって測定された第１強度および第２強度を、第１電圧および第２電圧においてそれぞれ時間の関数で別個に決定するために設けられる。【選択図】図１
2014119756.tif 000002
【特許請求の範囲】
【請求項１】
温度安定化共振型電気光学変調器であって、
第１リング状導波路と、第１導波路に近接した第２長手導波路とを備えた共振型電気光学変調器ユニットと、
第１リング状導波路に第１電圧および第２電圧を印加するための電圧ユニットと、
第１導波路に沿って通過した後、第２導波路を通じて伝送される光の強度を測定するために設けられた光センサ６と、
第１導波路の温度を調整するための温度安定化ユニットと、
光センサによって測定された強度を表す信号に応答して温度安定化ユニットを制御するための温度制御ユニットとを備え、
第１および第２導波路は、第２導波路を通じて伝送されるある波長を有する光が、第２電圧よりも第１電圧において第１導波路に沿って第２導波路を通じて、その波長を有する光のより高いスループットを許容するような第１電圧または第２電圧の印加によって第１導波路内での共振によって異なって減衰されるように配置されており、
温度制御ユニットは、光センサによって測定された第１強度および第２強度を、第１電圧および第２電圧においてそれぞれ時間の関数で別個に決定するために設けられることを特徴とする温度安定化共振型電気光学変調器。
【請求項２】
制御ユニットは、第１強度および第２強度を個々の第１閾値および第２閾値と比較するために設けられおり、第２閾値は第１閾値と異なっている請求項１記載の温度安定化共振型電気光学変調器。
【請求項３】
温度制御ユニットは、それぞれ測定された第１強度および第２強度の時間の関数での別個の変化に応答して、温度安定化ユニットを制御するために設けられる請求項１または２記載の温度安定化共振型電気光学変調器。
【請求項４】
第３導波路が第１導波路に近接して設けられ、
第１導波路および第３導波路は、第１導波路を通じて伝送された光が第３導波路内で減衰されるように配置される請求項１〜３のいずれかに記載の温度安定化共振型電気光学変調器。
【請求項５】
光センサは、第３導波路に沿って伝送された光の強度を測定するために設けられる請求項４記載の温度安定化共振型電気光学変調器。
【請求項６】
温度制御ユニットは、第２導波路を通じて伝送された光の減衰レート及び／又は挿入損失を決定するために設けられる請求項１〜５のいずれかに記載の温度安定化共振型電気光学変調器。
【請求項７】
光センサは、光パワーを電位差に変換するために設けられ、第１導波路に沿って通過した後、第２導波路に沿って伝送された光の強度を決定する請求項１〜６のいずれかに記載の温度安定化共振型電気光学変調器。
【請求項８】
変調器は、少なくとも１つのコンデンサを備え、
該コンデンサは、光センサによって発生した電位差に対応したエネルギーがコンデンサに保存されるように構成され、
温度制御ユニットは、コンデンサと接続されている請求項７記載の温度安定化共振型電気光学変調器。
【請求項９】
変調器は、少なくとも２つのコンデンサを備え、
第１コンデンサは、第１電圧が第１導波路に印加された場合、光センサによって測定された電位差に対応した第１エネルギーを保存するように構成され、
第２コンデンサは、第２電圧が第１導波路に印加された場合、光センサによって測定された電位差に対応した第２エネルギーを保存するようにそれぞれ構成され、
温度制御ユニットは、第１および第２コンデンサと接続されている請求項８記載の温度安定化共振型電気光学変調器。
【請求項１０】
変調器は、第１スイッチおよび第２スイッチをそれぞれ備え、
第１スイッチは、第１電圧が印加され、第１エネルギーが第１コンデンサに保存される場合に閉じるように構成され、
第２スイッチは、第２電圧が印加され、第２エネルギーが第２コンデンサに保存される場合に閉じるように構成される請求項９記載の温度安定化共振型電気光学変調器。
【請求項１１】
少なくとも１つの波長を有する光が第２導波路を通って第１導波路に沿って伝送され、
第１および第２電圧が第１リング状導波路に印加され、印加された第１及び／又は第２電圧に対応して、第２導波路を通って伝送される光を減衰させるようにした、請求項１〜１０のいずれかに記載の温度安定化共振型電気光学変調器の使用。
【請求項１２】
第１および第２電圧は、光信号に変換される２値信号のビットを表す、請求項１１記載の温度安定化共振型電気光学変調器の使用。
【請求項１３】
第１電圧は、光信号に変換される２値信号の１ビットを表し、第２電圧は、０ビットを表す、請求項１２記載の温度安定化共振型電気光学変調器の使用。
【請求項１４】
少なくとも２つの波長を有する光が、第２導波路を通って第１導波路に沿って伝送される、請求項１１〜１３のいずれかに記載の温度安定化共振型電気光学変調器の使用。
【請求項１５】
光通信のための請求項１１〜１４のいずれかに記載の温度安定化共振型電気光学変調器の使用。
【発明の詳細な説明】
【技術分野】
【０００１】
本開示は、温度安定化共振型電気光学変調器およびその使用に関する。
【背景技術】
【０００２】
微視的な応用、例えば、チップ用の通信速度および帯域の更なる増加を可能とし、こうした応用の設置面積の更なる削減を可能とすることから、光通信が著しく重要性を増していることが予想される。電気信号を光信号に変換するためには、光変調器、例えば、文献（Low voltage, Low-Loss, Multi-Gb/s Silicon Micro-Ring Modulator based on a MOS Capacitor by Joris Van Campenhout, Marianne Pantouvaki, Peter Verheyen, Shankar Selvaraja, Guy Lepage, Hui Yu, Willie Lee, Johan Wouters, Danny Goossens, Myriam Moelants, Wim Bogaerts and Philippe Absil in “The Optical Fiber Communication Conference and Exposition (OFC) and The National Fiber Optic Engineers Conference (NFOEC) 2012”, United States, p.OM2E (2012)）に記載されているような共振型電気光学変調器が用いられる。
【０００３】
一方、こうした変調器が、変換速度、電力使用、設置面積に関して極めて良好な特性を有し得るが、所定波長でのこれらの出力が動作温度に比較的大きく依存する。
【０００４】
文献（Active wavelength control of Silicon microphotonic resonant modulators by Anthony L. Lentine, W. A. Zortman, D. C. Trotter and Michael R. Watts published in “Optical Interconnects Conference, 2012 IEEE”）には、２値データの光通信目的のための温度安定化共振型電気光学変調器が記載されている。この変調器は、共振型電気光学変調器ユニットを備える。この共振型電気光学変調器ユニットは、第１リング状導波路と、第１導波路に近接した第２長手導波路とを備える。温度安定化共振型電気光学変調器は、リング状導波路に第１電圧および第２電圧を印加するための電圧ユニットと、第１導波路に沿って通過した後、第２導波路を通じて伝送される光の強度を決定するための光センサと、第１導波路の温度を調整するための温度安定化ユニットと、光センサによって測定された強度を表す信号に応答して、温度安定化ユニットを制御するための温度制御ユニットとをさらに備える。
【０００５】
第１および第２導波路は、第２導波路を通じて伝送されるある波長を有する光が、０ビットを表す第２電圧よりも、１ビットを表す第１電圧において第１導波路に沿って第２導波路を通じて、その波長を有する光のより高いスループットを許容するような第１電圧または第２電圧の印加によって第１導波路内での共振によって異なって減衰されるように配置される。第３導波路が第１導波路に近接して設けられ、第１および第３導波路は、第１導波路を通じて伝送される光が第３導波路内での共振によって減衰されるように配置される。こうした第３導波路は、通常、ドロップポート(drop port)と称される。
【０００６】
光センサは、第１導波路から第３導波路への減衰の結果として、第２導波路を通じて伝送される光の強度を測定するために設けられる。光センサによって測定した強度に基づいて、光センサによって測定した光の強度が０ビットまたは１ビットを表すか否かを決定する。さらに、測定されたビットは、変調器ユニット、詳細には、第１導波路に第１電圧および第２電圧の形態で当初供給された元のビットと比較される。測定されたビットと元のビットとの間の差に応じて、温度制御ユニットは温度安定化ユニットを制御する。
【０００７】
しかしながら、こうした構成において、光センサの出力が０ビットまたは１ビットを表すか否かという決定の形式で追加の変換が必要になる。この追加の変換は、しばしば比較的複雑である追加の電気コンポーネントを必要とし、追加の電力を要し、温度安定化共振型電気光学変調器が故障する傾向が高くなる。さらに、高いデータ伝送速度を達成するために、高速計算コンポーネントが、例えば、光センサの出力が０ビットまたは１ビットを表すか否かを決定するため、あるいは、測定されたビットと、変調器ユニットに当初供給されたビットとを比較するために必要になる
【発明の概要】
【発明が解決しようとする課題】
【０００８】
本開示の目的は、あまり複雑でない変調器の出力および元の入力に基づいて温度安定化ユニットの制御を可能にする温度安定化共振型電気光学変調器を提供することである。
【０００９】
この目的は、最初の独立請求項の技術的特徴を示す温度安定化共振型電気光学変調器とともに本開示に従って達成される。
【００１０】
本開示の他の目的は、こうした温度安定化共振型電気光学変調器の使用を提供することである。
【００１１】
この目的は、第２の独立請求項のステップを含む温度安定化共振型電気光学変調器の使用とともに本開示に従って達成される。
【課題を解決するための手段】
【００１２】
さらに、温度制御ユニットは、第１電圧および第２電圧においてそれぞれ時間の関数で、光センサによって測定された第１強度および第２強度を別個に決定するために設けられる。
【００１３】
第１電圧および第２電圧において時間の関数で、光センサによって測定された第１強度および第２強度を直接測定することによって、光センサによって測定された強度が０ビットまたは１ビットを表すか否かの決定がもはや必要ではないことが判った。
【００１４】
さらに、デバイスが所望のように機能しているか否かの極めて正確な決定が達成されることが判った。
【００１５】
さらに、本開示によれば、第１強度および第２強度がより直接的に監視できるため、異なる所望の動作条件、例えば、挿入損失（ＩＬ: insertion loss）（第１電圧での減衰に起因して第２導波路を通じて伝送される光の強度の損失）、減衰レート（ＥＲ: extinction ratio）（第１強度と第２強度との間の差）等がより簡単に設定でき、これらを第２導波路の特定の動作温度に較正する必要がなく、個々の測定した第１強度および第２強度が上昇または下降するかを監視することが可能になる。種々の印加電圧で典型的な伝送スペクトルを波長の関数で観測した場合（例えば、最初に引用した文献（Low voltage, Low-Loss, Multi-Gb/s Silicon Micro-Ring Modulator based on a MOS Capacitor）の図２ａ）、こうしたスペクトルが特定の波長で典型的な最小値を有することが判る。文献（Active wavelength control of Silicon microphotonic resonant modulators by Anthony L. Lentine, W. A. Zortman, D. C. Trotter and Michael R. Watts published in “Optical Interconnects Conference, 2012 IEEE”）は、例えば、図１ｂにおいて、波長シフトが実際には温度シフトと関連しており、よって波長の関数の応答は、温度の関数の応答と同じではないが、これに極めて類似していることを記載している。測定した第１または第２強度を監視しただけの場合、強度が温度変化に起因して変化すると、例えば、文献（Active wavelength control of Silicon microphotonic resonant modulators by Anthony L. Lentine, W. A. Zortman, D. C. Trotter and Michael R. Watts published in “Optical Interconnects Conference, 2012 IEEE”）の図１ｂに示されるように、温度が最小値のどちら側に位置しているかに依存して、温度が上昇または下降するかが明らかでない。第１および第２電圧で測定した第１および第２強度の両方を監視した場合、測定強度の両方から、第１および第２電圧において温度が温度の関数の応答の最小値のどちら側に位置しているか、よって、第２導波路を加熱する必要があるか、または冷却する必要があるかを、委ねることが可能になる。
【００１６】
さらに、第１強度および第２強度は別個に測定されることから、例えば、２つの強度に基づいた平均値を表す値とは対照的に、第１および第２電圧の数がほぼ等しくない場合でも、例えば、第１および第２電圧が１ビットおよび０ビットの実質的に異なる数を有する２値信号のビットを表す場合、変調器は、所望のように動作できることが判った。
【００１７】
本開示に係る実施形態において、制御ユニットは、第１および第２強度を個々の第１および第２閾値と比較するために設けられおり、第２閾値は第１閾値と異なっている。例えば、第２導波路の温度を変化させることによって、第１強度は第１閾値より低く維持でき、第２閾値は第２閾値より高く維持することができる。代替として、第２導波路の温度を変化させることによって、第１強度は第１閾値より高く維持でき、第２閾値は第２閾値より低く維持することができる。さらに、例えば、挿入損失（ＩＬ）および減衰レート（ＥＲ）を監視するなど、他の閾値が可能である。
【００１８】
本開示に係る実施形態において、温度制御ユニットは、それぞれ測定された第１および第２強度の時間の関数での別個の変化に応答して、温度安定化ユニットを制御するために設けられる。
【００１９】
本開示に係る実施形態において、温度安定化共振型電気光学変調器、詳細には、電気光学変調器は、第１導波路に近接した設けられた第３導波路を備え、第１導波路および第３導波路は、第１導波路を通じて伝送された光が第３導波路内での共振によって減衰されるように配置される。こうした第３導波路は、ドロップポート(drop port)とも称されものであり、スルーポート(through port)としばしば称される、第２導波路に沿って伝送される光の進行方向に沿って第１導波路の後に位置決めされる第２導波路の一部とは対照的である。
【００２０】
本開示に係る実施形態において、光センサは、第１導波路から第３導波路への減衰の結果として、第３導波路に沿って伝送された光の強度を測定するために設けられる。こうした構成では、第１および第２強度を測定するために、光を第２導波路から光センサへ偏向させることが回避される。こうして追加の使用のために減衰した光は、例えば、そのフル強度を維持することができ、例えば、信号対ノイズ比および、光が第２導波路を伝送できる可能性ある範囲を改善できる。
【００２１】
本開示に係る実施形態において、温度制御ユニットは、減衰レート（ＥＲ）及び／又は挿入損失（ＩＬ）を決定するために設けられる。上述したように、これらは第１および第２閾値としてそれぞれ直接に使用できるが、第１および第２閾値の次に追加のパラメータとしても使用できる。
【００２２】
本開示に係る実施形態において、光センサは、光パワーを、例えば、グランドまたはゼロ電位を基準とした電位差に変換するために設けられ、第１導波路に沿って通過した後、第２導波路に沿って伝送された光の強度を決定する。こうした光センサは、例えば、フォトダイオードを備える。上述したように、光センサは、第３導波路からの光の強度を測定するために設けてもよく、もし存在する場合、あるいは代替として、あるいは組合せで第２導波路からの光の強度を測定するために設けてもよい。
【００２３】
本開示の更なる実施形態において、変調器は、少なくとも１つのコンデンサを備え、該コンデンサは、光センサによって発生した電位差に対応したエネルギーがコンデンサに保存されるように構成される。温度制御ユニットは、コンデンサと接続され、それ自体、コンデンサに保存されたエネルギーに基づいて温度安定化ユニットを制御するために設けられる。
【００２４】
本開示の更なる実施形態において、変調器は、少なくとも２つのコンデンサを備える。第１コンデンサは、第１電圧が第１導波路に印加された場合、光センサによって測定された電位差に対応した第１エネルギーを保存するように構成され、そして、第２コンデンサは、第２電圧が第１導波路に印加された場合、光センサによって測定された電位差に対応した第２エネルギーを保存するようにそれぞれ構成される。温度制御ユニットは、第１および第２コンデンサと接続される。こうしたコンデンサを用いることによって、コンデンサに保存されたエネルギーが比較的容易に読み出されため、第１導波路の動作条件をより容易に監視することが可能になる。例えば、高速な電子回路の使用が回避できる。
【００２５】
本開示の更なる実施形態において、変調器は、第１スイッチおよび第２スイッチをそれぞれ備える。第１スイッチは、第１電圧が印加され、第１エネルギーが第１コンデンサに保存される場合に閉じるように構成され、そして、第２スイッチは、第２電圧が印加され、第２エネルギーが第２コンデンサに保存される場合に閉じるように構成される。こうした実施形態は、比較的簡単で正攻法の電気コンポーネントを用いた場合でも、温度安定化共振型電気光学変調器を提供することができる。
【００２６】
本開示はまた、本開示に係る温度安定化共振型電気光学変調器の使用に関する。こうした使用によれば、少なくとも１つの波長を有する光が第２導波路を通って第１導波路に沿って伝送され、第１および第２電圧がリング状導波路に印加され、印加された第１及び／又は第２電圧に対応して、第２導波路を通って伝送される光を減衰させる。
【００２７】
本開示に係る実施形態において、第１および第２電圧は２値信号のビットを表す。本開示に係る更なる実施形態において、本開示にとって決定的ではないが、第１電圧は１ビットを表し、第２電圧は０ビットを表す。
【００２８】
本開示に係る実施形態において、少なくとも２つの波長を有する光が、第２導波路を通って第１導波路に沿って伝送される。こうした使用において、波長分割多重化が可能になり、単一導波路が、異なる信号をパラレル式に送信するために使用できる。
【００２９】
本開示に係る実施形態において、本開示に係る温度安定化共振型電気光学変調器は、光通信のために使用される。
【００３０】
本開示に係る実施形態において、光は、約１５３１．７ｎｍの波長を有する。
【図面の簡単な説明】
【００３１】
本開示は、下記の説明および添付の図面を用いてさらに明らかになるであろう。
【００３２】
【図１】本開示に係る温度安定化共振型電気光学変調器の一実施形態の概略全体図を示す。
【発明を実施するための形態】
【００３３】
本開示は、一定の図面を参照して特定の実施形態に関して説明しているが、本開示はこれに限定されず、請求項によってのみ限定される。記載した図面は、概略的に過ぎず、非限定的なものである。図面において、幾つかの要素のサイズは、説明目的のために誇張したり、縮尺どおり描写していないことがある。寸法および相対寸法は、本開示の実際の実施化に必ずしも対応していない。
【００３４】
さらに、説明および請求項での用語、「第１」、「第２」、「第３」などは、類似の要素を区別するための使用しており、必ずしも連続的または時間的な順番を記述するためではない。この用語は、適切な状況下で交換可能であり、本開示の実施形態は、ここで説明したり図示したものとは別の順番で動作可能である。
【００３５】
さらに、説明および請求項での用語「上(top)」、「下(bottom)」、「の上に(over)」、「の下に(under)」等は、説明目的で使用しており、必ずしも相対的な位置を記述するためのものでない。こうして用いた用語は、適切な状況下で交換可能であって、ここで説明した本開示の実施形態がここで説明または図示した以外の他の向きで動作可能である。
【００３６】
さらに、種々の実施形態は、「好ましい」と称しているが、本開示の範囲を限定するものとしてではなく、本開示を実施できる例示の方法として解釈すべきである。
【００３７】
請求項で用いた用語「備える、含む(comprising)」は、それ以降に列挙された要素またはステップに限定されるものと解釈すべきでなく、他の要素またはステップを除外していない。記述した特徴、整数、ステップまたは構成要素の存在を、参照したように特定するように解釈する必要があるが、１つ又はそれ以上の他の特徴、整数、ステップまたは構成要素、あるいはこれらのグループの存在または追加を除外していない。こうして表現「手段Ａ，Ｂを備えるデバイス」の範囲は、構成要素Ａ，Ｂのみから成るデバイスに限定すべきでない。本開示に関して、デバイスの列挙した構成要素だけがＡ，Ｂであり、請求項はこれらの構成要素の等価物を含むものとして解釈すべきである。
【００３８】
１．  温度安定化共振型電気光学変調器
２．  共振型電気光学変調器ユニット
３．  第１リング状導波路
４．  第２長手導波路
５．  電圧ユニット
６．  光センサ
７．  温度安定化ユニット
８．  温度制御ユニット
９．  第３導波路
１０．  第１コンデンサ
１１．  第２コンデンサ
１２．  第１スイッチ
１３．  第２スイッチ
１４．  増幅器
１５．  温度制御プロセッサ
【００３９】
図１は、本開示に係る温度安定化共振型電気光学変調器１の一実施形態の概略全体図を示す。図１に示す共振型電気光学変調器１は、共振型電気光学変調器ユニット２を備える。共振型電気光学変調器ユニット２は、第１リング状導波路３と、第１導波路３に近接した第２長手導波路４とを備える。共振型電気光学変調器１は、第１電圧および第２電圧を第１リング状導波路３に印加するための電圧ユニット５をさらに備える。第１および第２導波路３，４は、第２導波路４を通じて伝送されるある波長を有する光が、第２電圧よりも第１電圧において第１導波路３に沿って第２導波路４を通じて、その波長を有する光のより高いスループットを許容するような第１電圧または第２電圧の印加によって、第１導波路３内での共振によって異なって減衰されるように配置される。さらに、光センサ６が、第１導波路３に沿って通過した後、第２導波路４を通じて伝送される光の強度を決定するために、共振型電気光学変調器１に設けられる。共振型電気光学変調器１の温度安定化ユニット７が、第１導波路３の温度を調整するために設けられ、そして、温度制御ユニット８が、光センサ６によって測定された強度を表す信号に応答して温度安定化ユニット７を制御するために設けられる。
【００４０】
こうした電気光学変調器ユニットおよびこうした変調器ユニットを製造する方法の例が、例えば、文献（Low voltage, Low-Loss, Multi-Gb/s Silicon Micro-Ring Modulator based on a MOS Capacitor by Joris Van Campenhout, Marianne Pantouvaki, Peter Verheyen, Shankar Selvaraja, Guy Lepage, Hui Yu, Willie Lee, Johan Wouters, Danny Goossens, Myriam Moelants, Wim Bogaerts and Philippe Absil in “The Optical Fiber Communication Conference and Exposition (OFC) and The National Fiber Optic Engineers Conference (NFOEC) 2012”, United States, p.OM2E (2012)）（“Van Campenhout et al.”として参照）に記載されている。当然ながら、先行技術における他の材料、寸法などを用いて、当業者によって適切であると考えられる他の実施形態も可能である。
【００４１】
図１で判るように、第３導波路９が、好ましくは第１導波路３に近接して設けられ、第１および第３導波路３，９は、第１導波路３を通じて伝送される光が、第３導波路９内の共振によって減衰されように配置される。こうした第３導波路は、例えば、文献Van Campenhout et al.にも記載されている。
【００４２】
図１でさらに判るように、光センサ６は、第１導波路３から第３導波路９への減衰の結果として、第３導波路９を通じて伝送される光の強度を測定するために設けられる。しかしながら、上述したように、第１強度および第２強度を測定するために、第２導波路４からの光を光センサへ偏向させることも可能である。
【００４３】
光センサ６は、光パワーを電位差に変換するために設けられ、第１導波路３に沿って通過した後、第２導波路４に沿って伝送される光の強度を決定することがさらに判る。こうした光センサ６は、例えば、フォトダイオードである。
【００４４】
さらに、図１に示す変調器１は、光センサ６によって発生した電位差に対応したエネルギーがコンデンサ１０に保存されるように構成された少なくとも１つのコンデンサ１０を備える。温度制御ユニット８は、コンデンサ１０と接続される。詳細には、変調器１は、少なくとも２つのコンデンサ１０，１１を備える。第１コンデンサ１０は、第１電圧が第１導波路３に印加された場合、光センサ６によって測定された電位差に対応した第１エネルギーを保存するように構成され、そして、第２コンデンサ１１は、第２電圧が第１導波路３に印加された場合、光センサ６によって測定された電位差に対応した第２エネルギーを保存するようにそれぞれ構成される。温度制御ユニット８は、第１および第２コンデンサ１０，１１と接続される。
【００４５】
第１コンデンサ１０での第１エネルギーおよび第２コンデンサ１１での第２エネルギーを取得するために、図１に係る変調器１は、個々に第１および第２スイッチ１２，１３を備える。第１スイッチ１２は、第１電圧が印加され、第１エネルギーが第１コンデンサ１０に保存される場合に閉じるように構成され、そして、第２スイッチ１３は、第２電圧が印加され、第２エネルギーが第２コンデンサ１１に保存される場合に閉じるように構成される。スイッチ１２，１３は、機械的スイッチとして表現しているが、これらは、これらの対応する制御ユニットに沿って伝送されるデータに基づいて開閉される。これは概略的な表現に過ぎず、例えば、ＣＭＯＳトランジスタなどのトランジスタを用いて他の実施形態も当然に可能である。
【００４６】
動作の際、例えば、電気的２値データ、電気的２値信号の流れを光信号に変換することが必要になるであろう。これに関して２値データの流れは異なる電圧の流れとして提示され、異なる電圧は、電気的２値データの流れの異なるビットを表現する。
【００４７】
２値データの流れは、本発明に係る温度安定化共振型電気光学変調器１、例えば、図１に示すような温度安定化共振型電気光学変調器１に提示され、電気的２値信号のビットを表現する電圧は、例えば、増幅器１４によって第１および第２電圧に増幅され、これらの電圧は第１導波路３に印加されることになる。同時に、少なくとも１つの波長を有する光が、第１導波路３に沿って第２導波路４を通じて伝送される。従って、第１リング状導波路３に印加される第１および第２電圧は、第２導波路４を通じて伝送される光を、印加された第１および第２電圧に対応して電気的２値信号に従って減衰するようになり、第２電圧よりも第１電圧において第１導波路３に沿って第２導波路４を通じて、その波長を有する光のより高いスループットを可能にする。換言すると、電気的２値信号は、光信号に変換され、第２導波路４を通じて伝送された。そして、光信号は電気信号に再び変換されことが望まれる。これは、例えば、本発明に係る温度安定化共振型電気光学変調器１を用いて光信号がどのように形成されたか否かから独立して、必要に応じて変更した本発明に係る温度安定化共振型電気光学変調器１を用いて行うことができる。
【００４８】
第１導波路３が所望のように動作し、電気的２値信号が光信号へ正しく変換されるか否かを確認するために、例えば、光センサ６によって測定された第１および第２強度は、コンデンサ１０，１１に保存されるエネルギーの形態で保存され、個々の第１および第２エネルギーをそれぞれ保存する。
【００４９】
さらに、図１は、元の電気的２値信号、例えば、第１スイッチを閉じる１ビットおよび、例えば、第２スイッチを閉じる０ビット、または、例えば、第１スイッチを閉じる１ビットおよび、例えば、第２スイッチを閉じる１ビットを用いて、第１および第２スイッチが動作することを概略的に示す。図１において、ＮＯＴゲートが、通常は低い電圧で表現される０ビットが比較的高い電圧に変換されることを概略的に示しており、その結果、スイッチは動作可能になり、第１および第２エネルギーが個々のコンデンサへ伝送される。
【００５０】
図１はまた、温度制御ユニット８が、コンデンサ１０，１１に保存され、温度制御ユニット８によって測定されたエネルギーに応じて温度安定化ユニット７を制御するように構成された温度制御プロセッサ１５を備えることを概略的に示す。温度安定化ユニット７は、例えば、文献Van Campenhout et al.に記載されているようなヒータであってもよい。
【００５１】
例えば、制御ユニット８、詳細には、温度制御プロセッサ１５は、第１および第２強度を個々の第１および第２閾値と比較するために設けられおり、第２閾値は、第１閾値と異なっている。
【００５２】
好ましくは、温度制御ユニット８は、測定された第１強度および第２強度の時間の関数の別個の変化にそれぞれ応答して、温度安定化ユニット７を制御するために設けられる。
【００５３】
好ましくは、温度制御ユニット８は、減衰レート及び／又は挿入損失が、例えば、第１および第２閾値であることを決定するために設けられる。好ましくは、しかしながら、第１および第２閾値は、個々の第１および第２強度についての特定の所望の強度である。
【図１】
2014119756.tif 000003
【外国語明細書】
2014119756.tif 000004
2014119756.tif 000005
2014119756.tif 000006
2014119756.tif 000007
2014119756.tif 000008
2014119756.tif 000009
2014119756.tif 000010
2014119756.tif 000011
2014119756.tif 000012
2014119756.tif 000013
2014119756.tif 000014
2014119756.tif 000015
2014119756.tif 000016
2014119756.tif 000017
2014119756.tif 000018
2014119756.tif 000019
2014119756.tif 000020